(57)【特許請求の範囲】
【請求項１】
調節口が形成された内桶と排気口が形成された外桶が、通気路が形成されるように結合されてなされた串焼き器のフランジに串台の据え置きのためのかけ台が形成されたものにおいて、
前記内桶の中には、熱源が収容される通気可能な収容台が設置されて、
前記内桶と外桶のそれぞれにフランジが形成され、前記内桶は前記外桶と分離結合されることができ、
前記外桶のフランジの内側には段顎面が形成され、
前記段顎面に内桶のフランジが安着されるようにして結合された状態で内桶と外桶が一定間隔で離隔されながら通気路が形成されて、それと同時に同一な水平面が維持されるフランジを形成するようにして、
前記内桶と外桶が分離されて、これらが組み立て時に生ずる通気路に積層される油気の除去が容易であるようになされることを特徴とする自動で作動する掃除が容易な串焼き器。
【請求項２】
調節口が形成された内桶と排気口が形成された外桶が、通気路が形成されるように結合されてなされた串焼き器のフランジに串台の据え置きのためのかけ台が形成されたものにおいて、
前記内桶の中には、熱源が収容される通気可能な収容台が設置されて、
前記内桶と外桶のそれぞれにフランジが形成され、前記内桶は前記外桶と分離結合されることができ、
前記かけ台は、フランジに固定される固定枠と固定枠で左右に流動される移動枠で区分されて、
前記移動枠の左右流動のために移動枠の収容空間を有する収容枠に取り付けられる偏心によって回転されるカムを有する駆動部がフランジに固定された状態で偏心されたカムのみが収容枠の収容空間で回転されて、
前記移動枠にはカムの回転によって左右に移動する程度に正確な範囲の左右移動が可能になるように固定枠に回転自在に装着されたギアとかみ合うギアホールが形成されたレールが形成されて、
前記固定枠は、レールのギアホールとかみ合う多数個のギアを回転可能に固定しながら回転時に串台の左右回転が可能になるようになる挿入ホールが具備されたハウジングに装着されて、
前記固定枠にはフランジに固定するようにするための突き出ピンが形成されて、前記突き出ピンは駆動部がフランジに固定される場合に同時に挟まれてフランジに固定するようになるものであり、
また、前記固定枠には串台の据え置きのための据え置き台が形成されて、前記据え置き台にギアが回転可能に収容された状態でハウジングが一定間隔で装着されて、
前記ハウジングは、両辺の据え置き台にお互いにジグザグで形成されて両側でそれぞれ焼くことができるようにすることを特徴とする自動で作動する掃除が容易な串焼き器。
【請求項３】
前記突き出ピン３３は、コ字形態で折曲された垂直連結台を利用して据え置き台の両端に取り付けて突出形成することを特徴とする請求項２に記載の自動で作動する掃除が容易な串焼き器。
【請求項４】
前記固定枠３１のギアが収容されたハウジングが装着される据え置き台の両端にコ字形態で折曲された垂直連結台３１eと直交するように水平で連結棒３１fを連結して、固定枠の拗じれることを防止しながら連結棒３１fの両端を突き出させて突き出棒３１gを形成して、前記ハウジングに収容されたギアとかみ合うレールの下端に位置するようにすることで、左右に移動されるレールが差されるようになって離脱されることを防止しながら柔らかい移動が可能にさせることを特徴とする請求項２または３に記載の自動で作動する掃除が容易な串焼き器。
【請求項５】
前記移動枠が左右に流動される場合に左右に離脱されることを防止するために移動枠が固定枠の外側を囲むように形成されながら固定枠を形成する据え置き台の両端にコ字形態で折曲されて直立された垂直連結台３１eと直交する方向に収容枠を形成する場合に垂直連結台より低い状態でコ字形態に折曲されて直立された支持棒を形成して、前記支持棒の両端がレールと固定するようにすることを特徴とする請求項４に記載の自動で作動する掃除が容易な串焼き器。
【発明の詳細な説明】
【技術分野】
【０００１】
本発明は、各種肉類や魚類などの火食することができる物(一名、“被焼き物”と称する)を串の形態で焼いて取食することができる焼き器に関するものであり、特に、串台に挟まれた被焼き物が一定な時間の間隔で左右に回転されながら自動で均一に焼かれることができるようにしながら、特に、油気が多い羊肉を焼いて食べる場合に発生される油が内桶と外桶との間に形成される通気路に積もるようになりながら熱源を十分に活用することができない部分とこのような油気が熱源によるスパークによって火事が発生されることができる部分を解消するようにすることはもちろん、このような油気による各種汚染菌の発生を抑制するようにしたものである。
【背景技術】
【０００２】
現在使われる串焼き器の構造は、図９に示されたところのように熱源(炭など)が収容される通気可能な収容台１２０が安置された状態で収容台１２０に満たされた熱源を調節可能になる調節口１１０が形成される内桶１００と該内桶１００を囲みながら調節口１１０に空気を通じるようにするか、または吸いこむために一定空間が離隔されるように形成されながら通気口２４０が形成されるように排気口２１０を有する外桶２００でなされる。
また、前記内桶１００に形成された調節口１１０と外桶２００に形成された排気口２１０はお互いに反対方向に設置されているが、外桶２００に形成された排気口２１０だけが外部と連結されていて、熱源が内桶１００の調節口１１０にすり抜けて来た状態で通気口２４０を流れるようになりながら熱源が内桶１００を保温するようになることで、一定な温度の保温が維持されながら熱の損失を防止するようになるものである。
この状態で前記串焼き器の上部ではフランジ２２０が形成されて焼きぐしのための串台４００を据え置きすることができる据え置き台３１０を有するかけ台３００が置かれるものである。
しかし、このような内桶１００と外桶２００との組み立て構造の問題点は、串台４００に挟まれた被焼き物を焼く場合に内桶１００の上側に離隔されるように形成されたかけ台３００の据え置き台３１０に据え置かれる串台４００に挟まれた被焼き物が熱源によって焼かれながら油と共に煙が内桶１００の調節口１１０を通じて外桶２００の排気口２２０に排出される過程で煙に含有される油気が通気口２４０を通過しながら内桶１００の外壁と外桶２００の内壁に付着されて固化されながら積層されるということである。
したがって、このような積層される油気をとり除くために、使用時には熱が存在することで固化されないで垂れ下がるようになって、外桶２００の下端で開閉される引き出し２３０に油気を受けて捨てているが、使わない場合には熱が除去されながら固化されて積層されることで通常このように積層された油気をとり除くためには外桶２００から引き出し２３０を抜き取った後に生ずるようになる空間に手を入れて積層された油気をとり除くようになるが、このような空間の通気口２４０が狭小であるために完璧な除去が不可能で作業途中に手の負傷が発生されるということである。
したがって、このように積層された油気に排気口２１０に煙等を排気時にスパークが散って積層された油気に転移される場合には火事が発生されて、使用者の驚きはもちろん、ちょっとすると大きな火事の危険性が存在するというものである。
また、このような固化された油気を食べて生きる菌が棲息するようになりながら串焼き器を使用する場合に初めには多くの不快な悪臭等が発生されて、非衛生的であるという問題点も存在するようになるものである。
また、現在このような構造の串焼き器は、被焼き物が挟まれた串台をかけ台３００の下端に形成された据え置き台３１０に一定間隔で離隔されるように据え置きするようにした状態で、それぞれの個人が個別的に串台を据え置き台３１０に置かれた状態で回転させながら焼いて取食をするようになるものであり、全部焼かれたものはかけ台３００の上段に乗せるようになることで、熱源と遠くなるようにして焦げるようになることを防止できるようになるものである。
しかし、このような方式は、話す途中にしばらくわき目をするようになる場合には、被焼き物が焦げるようになって取食ができなくなるか、または特定の面のみに炎が行くようになりながら均一に煮ることができなくなることで、おいしい焼き物を取食することができなくなるというもので、一人がいくつかを同時に焼く場合には、それぞれ串台４００を均一に回転するようにしながら焼くことができなくて均一に煮ることができなくなるという短所があるものである。
【発明の概要】
【発明が解決しようとする課題】
【０００３】
したがって、本発明では複数の串台に前後に挟まれた被焼き物が等しい回転比を有するようにすることで、等しい状態で焼かれることが可能であると共に串台に挟まれた被焼き物の上下左右への焼かれることが均一に維持されることはもちろん、焼かれる程度が等しくなることで油気を完全に抜くことができるようにして健康食が可能であるようにさせたものである。
また、このようなものが既存の串焼き器に簡単に脱着が可能であるように装着するようにすることで、既存の焼き器でも適用が可能であるようにさせたものである。
また、串焼き器を構成する内桶と外桶との分離が容易であるようにして、内桶と外桶との間に形成される通気路に満たされる油気を完璧にとり除いて火事防止はもちろん、衛生的な串焼き器を提供するようになるものであり、同時に簡単な組み立て構造を取るようにすることで従来の問題点を解決しようとするものである。
【課題を解決するための手段】
【０００４】
このために串焼き器を構成する内桶と外桶にそれぞれのフランジを形成して、外桶に形成されたフランジの内側に段顎面を形成して、内桶のフランジが安着されるようにして結合された状態で等しい面が維持されるフランジを形成するようにして、分離結合が容易であるようにしながら結合された状態で美観が美麗であるようにさせて、それと同時に外桶に引き出しを形成しないことで、きれいな外桶の外観を具現できるようにするようになるものである。
また、かけ台の構造を、偏心によって回転されるカムを有する駆動部と、該駆動部はフランジに固定された状態で偏心されたカムだけが収容される収容空間を有する収容枠と、該収容枠に収容された偏心されたカムの回転によって左右に移動される収容枠が具備される移動枠と、該移動枠にはカムの回転によって左右に移動する程度に正確な範囲の左右移動が可能になるように固定枠に装着されたギアとかみ合うギアホールが形成されたレールと、該レールのギアホールとかみ合う多数個のギアを回転可能に固定しながら回転時に串台の左右回転が可能になるようになる挿入ホールが具備されたハウジングが装着される固定枠と、前記固定枠にはフランジに固定されるようにするための突き出ピンが形成されて、前記突き出ピンは駆動部がフランジに固定される場合に同時に挟まれてフランジに固定するようになるものである。
また、前記固定枠には串台の据え置きのための据え置き台が形成されるものであり、前記据え置き台にギアが回転可能に収容された状態でハウジングが一定間隔で装着されるものである。
この時ハウジングは、両辺の据え置き台にお互いにジグザグで形成されて、両側でそれぞれ焼くことができるようにするものである。
【発明の効果】
【０００５】
したがって、内桶と外桶が簡単に分離組み立てされることで洗滌が容易になることで、外桶に別途の引き出しが存在しないことで、外観が美麗になることはもちろん、引き出しが存在しないことで取り扱い時に負傷の憂慮が存在しなくなるものであり、組み立てされた状態でもフランジが等しい水平面を維持するようになることで、異物が差し込まれることもなくなって美観が美麗になることであり、また、串台に挟まれた被焼き物がフランジに固定された駆動部のカムの回転によって移動枠だけが左右に繰り返し流動されることで、移動枠に形成されたレールのギアホールにかみ合っているギアが回転されながらギアを収容しているハウジングに挟まれて固定枠の据え置き台に据え置きされた串台が回転されながら被焼き物を均一に煮ることができるようになるものである。
【図面の簡単な説明】
【０００６】
【図１】本発明の串焼き器を構成する内桶と外桶が分離結合される状態図である。
【図２】図２及び図２aは、図１の串焼き器を構成する内桶のフランジが外桶のフランジ内側に形成された段顎面に安着された状態での通気路を示した状態図である。
【図３】本発明の串焼き器に収容台が安着されながら駆動部と移動枠と固定枠でなされたかけ台がフランジに組み立て固定される状態図である。
【図４】図４は、本発明のかけ台を形成する固定枠の突き出ピンに駆動部が結合されてフランジに結合される状態図である。
【図５】本発明の組み立てされた一実施例の外観斜視図である。
【図６】図６は、本発明の移動枠のレールに形成されたギアホールの固定枠に装着されるハウジングに収容されたギアがかみ合われた状態図である。図６aは、本発明のかけ台を構成する固定枠と移動枠の結合状態図である。
【図７】駆動部のカムの回転によって移動枠が移動される状態図である。
【図８】本発明の固定枠に装着されるハウジングに収容されたギアの挿入ホールに串台が挿入されて回転される状態図である。
【図９】従来の串焼き器の内桶と外桶の結合状態図である。
【発明を実施するための形態】
【０００７】
まず、本発明で添付された図面の図面符号は、従来の技術で添付された図面と等しい構成と等しい図面符号の名称である場合にもお互いに異なる図面符号で表示するようにした。
以下、添付図面に基づいて本発明を詳しく説明すれば次のようである。
図１乃至図４に示されたところのように本発明の串焼き器は、折曲によって形成される一定な内空間が形成される内桶１０と内桶と離隔されながら囲む形態でなされる外桶２０にそれぞれのフランジ１１、２１を形成して、外桶２０に形成されたフランジ２１の内側に段顎面２２を形成して、内桶１０のフランジ１１の外側がかかられながら安着されるようにして結合された状態でフランジ１１、２１が等しい水平面が維持されるフランジを形成するようにして、その状態で外桶２０の段顎面２１aと内桶のフランジ１１に形成されたねじホール２２、１２を通じてねじ１などで絞り固定するようにするものである。
したがって、ねじ１の締めることと解除だけで内桶１０と外桶２０の分離結合が容易であるようにしながら、結合された状態で美観が美麗にさせて、それと同時に外桶２０に従来のように引き出しを形成しないことで、きれいな外桶２０の外観はもちろん突き出された引き出しの取っ手などによる取り扱い時の負傷を防止できるようになるものである。
また、内桶１０と外桶２０が完全分離されることで、内桶１０と外桶２０との間に形成される通気路、すなわち、内桶の調節口に排出される煙が外桶の排気口に排出される場合に形成される流路)を通じて排出される熱源や煙等に含有されたものが温度差によって固化されながら積層される油気を完全でありながらきれいに除去が可能になるものである。
また、図３乃至図６に示されたところのように内桶１０のフランジ１１には、差し込みホール１３を形成して、前記差し込みホール１３に装着されるかけ台３０の突き出ピン３３によって脱着可能に結合されるものである。
また、前記かけ台３０は、フランジ１０の差し込みホール１３に差し込まれる突き出ピン３３によって固定される固定枠３１と該固定枠３１と左右に移動可能に結合された状態で左右に移動される移動枠３２でなされる。
また、前記移動枠３２が左右移動するようにするためには、モータ４２と偏心で連結されるカム４１を有する駆動部４０と、該駆動部４０は電源によって駆動されるモータ４２が収容された状態でカーバ体４３に囲まれて、カム４１だけが外部に突き出されるものであり、前記カーバ体４３には駆動部４０がフランジ１１、２１に置かれた状態で内桶１０のフランジ１１に形成された差し込みホール１３と等しい差し込みホール４４aを有する羽４４を具備して、かけ台３０の突き出ピン３３によって同時に固定されるものである。
また、前記突き出ピン３３は、コ字形態で折曲された状態で固定枠３１を形成する垂直連結台を利用して形成することで、製造が容易であるようにしながら堅固性を有するようにするものである。
また、固定枠３１の下方に突き出された突き出ピン３３が内桶１０のフランジ１１の差し込みホール１３に挟まれて固定される場合に駆動部４０も同時に挟まれて固定されることで駆動部４０は、フランジ１１、２１に固定された状態で偏心されたカム４１だけがモータ４２の回転によって偏心されるように回転されて移動枠３２が左右に流動されるものである。
したがって、前記カム４１が収容枠の収容空間で偏心に回転するようになれば、収容空間に密着された収容枠が偏心に回転されるカムの回転半径によってカムと収容空間の密着面に沿って収容枠が左、右に流動されながら移動枠が左右に流動されるものである。
このための移動枠３２の構造は、カム４１が回転される場合にカム４１が収容された状態で左右に流動するようにするための偏心されたカム３１だけが収容される収容空間３２aを有する収容枠３２bが形成されて、前記収容枠３２bを有する移動枠３２にはカム４１の回転によって左右に移動する場合に正確な範囲の左右移動が可能になるように固定枠３１に装着されたギア３１aとかみ合うギアホール３２cが形成されたレール３２dが形成される。
また、前記移動枠３２の左右流動を断続する固定枠３１は、移動枠３２のレール３２dのギアホール３２cとかみ合う多数個のギア３１aを回転可能に固定しながら回転時に串台５０の左右回転が可能になるようになる挿入ホール３１bが具備されたハウジング３１cが装着される据え置き台３１dで構成されている。
また、固定枠３１は、据え置き台３１dの左右でコ字形態に折曲された状態で固定枠３１を形成する垂直連結台３１eが直立されるように形成されて固定枠の堅固性を取り揃えるようになるものである。
この時、前記移動枠３２が固定枠３１とギアとギアホールとかみ合った状態で左右に流動するようにしながらも、移動枠３２が固定枠３１から離脱されなくなりながら、左右に容易に移動するようにするために図６aに示されたところのように前記固定枠３１のギアが収容されたハウジングが装着される据え置き台の両端にコ字形態に折曲された垂直連結台３１eと直交するように水平で連結棒３１fを連結して、固定枠の拗じれることを防止しながら連結棒３１fの両端を突き出させて、突き出棒３１gを形成して、前記ハウジングに収容されたギアとかみ合うレールの下端に位置するようにすることで左右に移動されるレールが差されるようになって離脱されることを防止しながら柔らかい移動が可能にさせるものである。
また、移動枠が下方に離脱されることは突き出棒３１gによって差されながら離脱を防止して、それと同時に左右に流動される場合に左右に離脱されることを防止するために移動枠が固定枠の外側を囲むように形成されながら固定枠を形成する据え置き台の両端にコ字形態で折曲されて、直立された垂直連結台３１eと直交する方向に収容枠を形成する場合に垂直連結台より低い状態でコ字形態で折曲されて、直立された支持棒を形成して、前記支持棒の両端がレールと固定するようにしたものである。
このような形状の支持棒は移動枠の両端に形成されるものである。
また、前記レールに形成されたギアホールとかみ合うギアが回転可能に収容されたハウジングに装着されたギアの中央には、串台が脱着可能に挿入される挿入ホールが形成される場合に、串台が大部分板状でなされることで、挿入ホールに挿入された串台がギアの回転と等しい回転半径を有するようにするために挿入ホールは、多角形でなされて多角形の縁角によって板状でなされた串台が空転することがなしに共に回転されるものである。
このような串台は、挿入ホールとかみ合うように棒状を加工して多角形でなされるようにできるものであり、このような部分が本発明の目的を制限するものではない。
また、串台が固定枠を構成する据え置き台に一列に据え置きされて焼かれる場合に、被焼き物が中身も同時に焼かれることができながら保温や殺菌等が可能な近赤外線等を装着することで、より優秀な機能を確保できるようになるものである。
このようなことは、被焼き物が焼かれる場合に被焼き物が下部では火に煮られて、上部では近赤外線が刺されながら被焼き物が弱い火から煮ることが可能でありながらも、一定な温度の維持が可能にさせることはもちろん、このような近赤外線の殺菌機能によって一定時間が経過される場合にも衛生的でありながらも、おいしい焼き物を取食することができるようにするものである。
【符号の説明】
【０００８】
１０  内桶
２０  外桶
３０  かけ台
４０  駆動部
５０  串台
【図１】
0005527341.tif 000002
【図２】
0005527341.tif 000003
【図２ａ】
0005527341.tif 000004
【図３】
0005527341.tif 000005
【図４】
0005527341.tif 000006
【図５】
0005527341.tif 000007
【図６】
0005527341.tif 000008
【図６ａ】
0005527341.tif 000009
【図７】
0005527341.tif 000010
【図８】
0005527341.tif 000011
【図９】
0005527341.tif 000012